(57)【要約】【課題】エネルギー効率に優れたヒートポンプ式給湯装置を提供する。【解決手段】ヒートポンプ式給湯装置は追い焚き機能部品として、貯湯タンク１０内の湯を浴槽９内に注湯する湯張り用混合弁１５ａ、給湯用配管１７ａ、湯張り用開閉弁２、および浴槽流入配管１９といった注湯手段と、循環ポンプ７、浴槽流出配管１８、および浴槽流入配管１９といった循環手段と、湯張り用混合弁１５ａ、湯張り用開閉弁２、および循環ポンプ７を制御するＥＣＵ４０と、を有し、追い焚き運転時、ＥＣＵ４０が、循環ポンプ７、湯張り用開閉弁２、および湯張り用混合弁１５ａを作動し、浴水を循環回路で循環させながら貯湯タンク１０内の高温の湯を浴水と混合させて浴槽９内に注湯する制御を実行している。【選択図】図３
2007218538.tif 000002
【特許請求の範囲】
【請求項１】
ヒートポンプユニット（２０）の給湯運転によって貯湯タンク（１０）内に貯湯された湯を利用して浴槽（９）内の浴水を加熱するヒートポンプ式給湯装置であって、
前記貯湯タンク（１０）内の湯を前記浴槽（９）内に注湯する注湯手段（２、１５ａ、１７ａ、１９）と、前記浴槽（９）内の浴水を配管（１８、１９）を介して循環させる循環手段（７）と、前記注湯手段（２、１５ａ）および前記循環手段（７）を制御する制御手段（４０）と、を備え、
追い焚き運転時、前記制御手段（４０）は、前記循環手段（７）および注湯手段（２、１５ａ）を作動し、前記浴槽（９）内の浴水を循環させながら前記貯湯タンク（１０）内の高温の湯を前記浴水と混合させて前記浴槽（９）内に注湯することを特徴とするヒートポンプ式給湯装置。
【請求項２】
ヒートポンプユニット（２０）の給湯運転によって貯湯タンク（１０）内に貯湯された温水を利用して浴槽（９）内の浴水を加熱するヒートポンプ式給湯装置であって、
前記貯湯タンク（１０）内の湯を前記浴槽（９）内に注湯する注湯手段（２、１５ａ、１７ａ、１９）と、前記浴槽（９）内の浴水を配管（１８、１９）を介して循環させる循環手段（７）と、前記注湯手段（２、１５ａ）および前記循環手段（７）を制御する制御手段（４０）と、を備え、
追い焚き運転時、前記制御手段（４０）は、設定温度に基づいて追い焚き目標温度を決定し、前記浴槽（９）内の浴水温度の情報を取得することとし、
前記注湯手段（２、１５ａ）を作動して前記貯湯タンク（１０）内の一定量の湯を前記浴槽（９）内に注湯した後、前記浴水温度が前記追い焚き目標温度に達していないと判断したときは、前記浴槽（９）内の浴水を循環させながら前記貯湯タンク（１０）内の湯を前記浴水と混合させて前記浴槽（９）内に注湯することを特徴とするヒートポンプ式給湯装置。
【請求項３】
追い焚き運転時、前記制御手段（４０）は、前記浴槽（９）内への追い焚き開始時からの累積注湯量、および前記浴槽（９）内の湯量の各情報を取得し、
前記累積注湯量が所定量以上になったときに注湯を終了するとともに、取得した前記浴槽（９）内の湯量情報に基づいて前記所定量を可変させることを特徴とする請求項１または２に記載のヒートポンプ式給湯装置。
【請求項４】
前記制御手段（４０）は、追い焚き運転開始時に、前記追い焚き目標温度と前記取得した浴水温度との差に基づいて前記浴槽（９）内に注湯する一定量を決定することを特徴とする請求項２または３に記載のヒートポンプ式給湯装置。
【請求項５】
前記制御手段（４０）は、前記一定量の注湯を行った後、前記浴水温度が前記追い焚き目標温度に達していないと判断したときは、前記追い焚き目標温度と前記浴水温度情報との差に基づいて前記一定量を決定し直すことを特徴とする請求項２または３に記載のヒートポンプ式給湯装置。
【請求項６】
前記循環手段（７）を構成する循環ポンプ（７）は、前記貯湯タンク（１０）内の湯が浴水の循環回路（１８、１９）に合流する合流部（５）から前記浴槽（９）内に流れるまでに構成される浴槽流入配管（１９）に設けたことを特徴とする請求項１から５のいずれかに記載のヒートポンプ式給湯装置。
【請求項７】
浴槽（９）内の浴水温度を検出する循環温度サーミスタ（２６）は、前記浴水が前記浴槽（９）から流出してから前記貯湯タンク（１０）内の湯と混合する合流部（５）に至るまでに構成される浴槽流出配管（１８）に設けたことを特徴とする請求項１から６のいずれかに記載のヒートポンプ式給湯装置。
【請求項８】
循環する浴水と前記貯湯タンク（１０）内の湯とが混合する合流部（５）に三方弁（３０）を設け、
前記制御手段（４０）は、前記三方弁（３０）を制御して浴水と湯の混合比を調節することを特徴とする請求項１から７のいずれかに記載のヒートポンプ式給湯装置。
【請求項９】
前記貯湯タンク（１０）内の湯が流出して温度調節された後、循環する浴水と混合される合流部（５）に至るまでの経路（１７ａ）に流量調整弁（３１）を設けたことを特徴とする請求項１から８のいずれかに記載のヒートポンプ式給湯装置。
【請求項１０】
前記制御手段（４０）は、浴水がその循環回路（１８、１９）を循環するときに前記浴槽（９）内を流出してから貯湯タンク（１０）内の湯と混合する合流部（５）に至るまでの間における前記浴水の各種情報を取得し、この情報に基づいて循環させる浴水と前記循環回路（１８、１９）に合流する湯との混合量を制御することを特徴とする請求項１から９のいずれかに記載のヒートポンプ式給湯装置。
【請求項１１】
ヒートポンプユニット（２０）によって加熱された湯を貯湯タンク（１０）に貯湯し、前記貯湯タンク（１０）内の湯を浴槽（９）内に供給するヒートポンプ式給湯装置であって、
前記浴槽（９）内の浴水を前記浴槽（９）内から取り出した後、再び前記浴槽（９）内に戻す循環流路（１８、１９）と、
前記循環流路（１８、１９）に接続され、前記貯湯タンク（１０）内の湯を前記浴槽（９）に注湯する注湯流路（１２、１３、１７ａ）と、
前記浴槽（９）内の浴水を追い焚きする追い焚き運転時に、前記注湯流路（１２、１３、１７ａ，１９）を通る湯を前記循環流路（１８，１９）を循環する浴水と混合させる混合手段（２、１５ａ）と、を有することを特徴とするヒートポンプ式給湯装置。
【発明の詳細な説明】
【技術分野】
【０００１】
本発明は、ヒートポンプユニットを用いて貯湯タンク内に沸き上げた湯を追い焚き時に浴槽へ供給するヒートポンプ式給湯装置に関する。
【背景技術】
【０００２】
従来、この種のヒートポンプ式給湯装置としては、タンク下方からヒートポンプにタンク内の湯を供給して加熱し、タンク上部からタンク内に貯湯することにより沸き上げ運転を行うとともに、貯湯タンク内の中ほどの高さに追い焚き手段として追い焚き用熱交換器を備え、追い焚き用熱交換器に浴槽内の湯を通過させて、貯湯タンク内の高温の湯と熱交換させることによって浴水を追い焚きする装置が知られている（例えば、特許文献１参照）。
【特許文献１】特開２００５−２６５３２０号公報
【発明の開示】
【発明が解決しようとする課題】
【０００３】
特許文献１のヒートポンプ式給湯装置においては、深夜沸き上げ完了直後には貯湯タンク内の温度がほぼ全域で高温となるものの、その後、給湯などの用途で貯湯タンク内の湯が使われ、この使用された湯量に等しい低温の水が給水配管から貯湯タンク内に供給される。この際、貯湯タンク内の大部分は、高温の湯と低温の水とによって占められているものの、両者の間には中温域の水が存在している。
【０００４】
追い焚きが開始されると、追い焚き用熱交換器の周囲の高温の湯と浴槽内の湯とが熱交換される。その結果、追い焚き終了時には、貯湯タンク内において追い焚き用熱交換器よりも下方で湯の温度が低下し、追い焚き開始時に比べて中温域の水の割合が増大する。そして、追い焚き終了後、貯湯タンク内において中温域の水が占める割合が多い状態で沸き上げ運転が開始されると、ヒートポンプに供給される水として中温域の水が占める割合が大きくなってしまう。
【０００５】
ところで、一般的に、ヒートポンプに供給される給水温度が高くなるほど、ヒートポンプの成績係数（ＣＯＰ）が低下することが一般的に知られている。
【０００６】
以上のことから、追い焚き終了後、何らかの手段によって貯湯タンク内の中温域の水が取り出されず、貯湯タンク内において中温域の水が占める割合が多い状態で沸き上げ運転が開始されると、沸き上げ運転時に中温域の水を大量に沸き上げるので、成績係数（ＣＯＰ）が悪化してエネルギー効率が悪くなるという問題があった。
【０００７】
そこで、本発明の目的は上記問題点に鑑みてなされたものであり、エネルギー効率に優れたヒートポンプ式給湯装置を提供することにある。
【課題を解決するための手段】
【０００８】
上記目的を達成するために、以下の技術的手段を採用する。すなわち、第１の発明は、ヒートポンプユニット（２０）の給湯運転によって貯湯タンク（１０）内に貯湯された湯を利用して浴槽（９）内の浴水を加熱するヒートポンプ式給湯装置であって、貯湯タンク（１０）内の湯を浴槽（９）内に注湯する注湯手段（２、１５ａ、１７ａ、１９）と、浴槽（９）内の浴水を配管（１８、１９）を介して循環させる循環手段（７）と、注湯手段（２、１５ａ）および循環手段（７）を制御する制御手段（４０）と、を備える。そして、追い焚き運転時、制御手段（４０）は、循環手段（７）および注湯手段（２、１５ａ）を作動し、浴槽（９）内の浴水を循環させながら貯湯タンク（１０）内の高温の湯を浴水と混合させて浴槽（９）内に注湯する。
【０００９】
この第１の発明によれば、追い焚き時間の短い追い焚き性能を発揮でき、従来の追い焚き用熱交換器を備えるヒートポンプ式給湯装置よりも貯湯タンク内の中温域の水を減少させるので、エネルギー効率を向上することができる。また、従来の追い焚き用熱交換器を含めたその他の配管経路を不要にできる上に、効率に優れたシステムを採用することができる。
【００１０】
さらに、浴槽内の浴水を循環させながら貯湯タンク内の高温の湯と浴水を混合させるので、追い焚き時における浴槽内の浴水温度上昇が滑らかになり、浴槽内のユーザーにマイルドな加熱感覚を与えることができる。
【００１１】
第２の発明は、ヒートポンプユニット（２０）の給湯運転によって貯湯タンク（１０）内に貯湯された湯を利用して浴槽（９）内の浴水を加熱するヒートポンプ式給湯装置であって、貯湯タンク（１０）内の湯を浴槽（９）内に注湯する注湯手段（２、１５ａ、１７ａ、１９）と、浴槽（９）内の浴水を配管（１８、１９）を介して循環させる循環手段（７）と、注湯手段（２、１５ａ）および循環手段（７）を制御する制御手段（４０）と、を備える。
【００１２】
そして、追い焚き運転時、制御手段（４０）は、設定温度に基づいて追い焚き目標温度を決定し、浴槽（９）内の浴水温度の情報を取得し、注湯手段（２、１５ａ）を作動して貯湯タンク（１０）内の一定量の湯を浴槽（９）内に注湯した後、浴水温度が追い焚き目標温度に達していないと判断したときは、浴槽（９）内の浴水を循環させながら貯湯タンク（１０）内の湯を浴水と混合させて浴槽（９）内に注湯する。
【００１３】
この第２の発明によれば、追い焚き運転時、注湯手段を作動して貯湯タンク内の一定量の湯を浴槽内に注湯した後、浴水温度が追い焚き目標温度に達していないときは、浴水を循環させながら貯湯タンク内の湯と混合させて浴槽内に注湯することにより、追い焚き時間を短縮することができるとともに、追い焚き時における浴槽内の浴水温度上昇が滑らかになり、浴槽内のユーザーにマイルドな加熱感覚を与えることができる。また、従来の追い焚き用熱交換器を含めたその他の配管経路を不要にできる上に、効率に優れたシステムを採用することができる。
【００１４】
第３の発明は、上記発明のいずれかにおいて、さらに追い焚き運転時、制御手段（４０）は、浴槽（９）内への追い焚き開始時からの累積注湯量、および浴槽（９）内の湯量の各情報を取得し、累積注湯量が所定量以上になったときに注湯を終了するとともに、取得した浴槽（９）内の湯量情報に基づいて所定量を可変させることが好ましい。この第３の発明によれば、浴槽内の浴水があふれないように注湯することができ、追い焚き時間も短縮することができる。
【００１５】
次の発明は、第２の発明または第３の発明において、さらに制御手段（４０）は、追い焚き運転開始時に、決定した追い焚き目標温度と取得した浴水温度情報との差に基づいて浴槽（９）内に注湯する一定量を決定することが好ましい。この発明によれば、追い焚き目標温度と浴水温度情報との差に基づいて注湯量を決定することにより、追い焚き時間を短縮し、運転効率を高めることができる。
【００１６】
次の発明は、第２の発明または第３の発明において、さらに制御手段（４０）は、一定量の注湯を行った後、浴水温度情報が決定した追い焚き目標温度に達していないと判断したときは、追い焚き目標温度と浴水温度情報との差に基づいて一定量を決定し直すことが好ましい。この発明によれば、追い焚き目標温度と浴水温度情報との差に基づいて一定量を決定し直すことにより、追い焚き時間を短縮し、運転効率を高めることができる。
【００１７】
次の発明は、上記発明のいずれかにおいて、さらに循環手段（７）を構成する循環ポンプ（７）は、貯湯タンク（１０）内の湯が浴水の循環回路（１８、１９）に合流する合流部（５）から浴槽（９）内に流れるまでに構成される浴槽流入配管（１９）に設けられることが好ましい。
【００１８】
この発明によれば、合流部の下流の配管に循環ポンプを設けることにより、上流側の合流部を加圧する流れを形成することがないので、浴水と混合する湯の量を減少させてしまうことがなく浴水と湯を適正な混合比に調整したり、安定した混合比を維持したりすることができる。さらに、逆止弁が故障した場合でも上流側の合流部を加圧しないため、浴水が貯湯タンク側に逆流することを防止できる。
【００１９】
次の発明は、上記発明のいずれかにおいて、さらに浴水温度を検出する循環温度サーミスタ（２６）は、浴水が浴槽（９）から流出してから貯湯タンク（１０）内の湯と混合する合流部（５）に至るまでに構成される浴槽流出配管（１８）に設けることが好ましい。この発明によれば、循環浴水に合流する湯の温度の影響を受けることなく、循環浴水温度を検出することができる。
【００２０】
次の発明は、上記発明のいずれかにおいて、さらに循環する浴水と貯湯タンク（１０）内の湯とが混合する合流部（５）に三方弁（３０）を設け、制御手段（４０）は、三方弁（３０）を制御して浴水と湯の混合比を調節することが好ましい。この発明によれば、循環浴水と混合させる高温の湯量を浴槽内の浴水の状況に応じて適量に制御することが可能となる。また、浴槽内のユーザーのフィーリングに対して細やかな制御が可能となる。また、浴水の循環を制御するための開閉弁等を別途必要としない。
【００２１】
次の発明は、上記発明のいずれかにおいて、さらに貯湯タンク（１０）内の湯が流出して温度調節された後、循環する浴水と混合される合流部（５）に至るまでの経路（１７ａ）に流量調整弁（３１）を設けたことが好ましい。この発明によれば、浴水に混合させる湯量を浴槽内の浴水の状況に応じて適量に制御することが可能となる。また、浴槽内のユーザーのフィーリングに対して細やかな制御が可能となる。
【００２２】
次の発明は、上記発明のいずれかにおいて、さらに制御手段（４０）は、浴水がその循環回路（１８、１９）を循環するときに浴槽（９）内を流出してから貯湯タンク（１０）内の湯と混合する合流部（５）に至るまでの間における浴水の各種情報を取得し、この情報に基づいて循環させる浴水と合流する湯との混合量を制御することが好ましい。
【００２３】
この発明によれば、追い焚き時間を適正に制御したり、短時間にしたりすることができるとともに、浴槽内のユーザーに対してマイルドな加熱感覚を与えることができる。
【００２４】
次に発明は、ヒートポンプユニット（２０）によって加熱された湯を貯湯タンク（１０）に貯湯し、貯湯タンク（１０）内の湯を浴槽（９）内に供給するヒートポンプ式給湯装置であって、浴槽（９）内の浴水を浴槽（９）内から取り出した後、再び浴槽（９）内に戻す循環流路（１８、１９）と、循環流路（１８、１９）に接続され、貯湯タンク（１０）内の湯を浴槽（９）に注湯する注湯流路（１２、１３、１７ａ）と、浴槽（９）内の浴水を追い焚きする追い焚き運転時に、注湯流路（１２、１３、１７ａ，１９）を通る湯を循環流路（１８，１９）を循環する浴水と混合させる混合手段（２、１５ａ）と、を有する。
【００２５】
この発明によれば、追い焚き時間の短い追い焚き性能を発揮でき、従来の追い焚き用熱交換器を備えるヒートポンプ式給湯装置よりも貯湯タンク内の中温域の水を減少させるので、エネルギー効率を向上することができる。また、浴槽内の浴水を循環させながら貯湯タンク内の高温の湯と浴水を混合させるので、追い焚き時における浴槽内の浴水温度上昇が滑らかになり、浴槽内のユーザーにマイルドな加熱感覚を与えることができる。
【００２６】
なお、上記各手段の括弧内の符号は、後述する実施形態の具体的手段との対応関係を示す一例である。
【発明を実施するための最良の形態】
【００２７】
（第１実施形態）
本実施形態によるヒートポンプ式給湯装置を図１から図３に基づいて説明する。図１は、本実施形態におけるヒートポンプ式給湯装置の概略構成を示した模式図である。図２は、ヒートポンプ式給湯装置の構成部品とＥＣＵとの関係を示した構成図である。図３は、本実施形態のヒートポンプ式給湯装置における追い焚き時の制御を示すフロー図である。
【００２８】
本実施形態のヒートポンプ式給湯装置は、貯湯式のヒートポンプ式給湯装置であり、主に一般家庭用として使用されるものであり、貯湯タンク１０内に蓄えられた給湯用の湯を熱源として、台所、洗面所、浴室などへの給湯機能の他に、湯張りされた浴槽内の浴水を追い焚きする機能を有している。
【００２９】
図１に示すように、ヒートポンプ式給湯装置の給湯機能は、貯湯タンク１０と、貯湯タンク１０内の下部の水を貯湯タンク１０内の最上部に送る流体加熱用流路２１と、流体加熱用流路２１を流れる水を加熱するヒートポンプユニット２０と、貯湯タンク１０内の湯を貯湯タンク１０の外に送る給湯用流路（高温取り出し管１２、中温取り出し管１３、給湯用配管１７、および給湯用配管１７ａ）と、貯湯タンク１０内の最下部へ水を供給するとともに給湯用配管１７および１７ａへ水を供給する給水用流路（給水配管１１）と、本給湯システムの作動を制御する制御手段であるＥＣＵ４０と、から構成されている。
【００３０】
そして、ヒートポンプ式給湯装置は追い焚き機能部品として、貯湯タンク１０内の湯を浴槽９内に注湯する手段である注湯手段、浴槽９内の浴水を浴槽流出配管１８および浴槽流入配管１９を介して循環させる循環手段、および注湯手段と循環手段を制御する制御手段を有している。
【００３１】
注湯手段は、主に、貯湯タンク１０内の湯と水とを混合させる湯張り用混合弁１５ａ、湯張り用混合弁１５ａで混合された後の温水が流れる給湯用配管１７ａ、給湯用配管１７ａに設けられた湯張り用開閉弁２、および浴槽流入配管１９により構成されている。循環手段は、浴槽流出配管１８と浴槽流入配管１９で構成される循環回路内で浴槽の浴水を強制的に循環させる循環ポンプ７から構成されている。
【００３２】
高温取り出し管１２、中温取り出し管１３、および給湯用配管１７ａは、浴槽流出配管１８および浴槽流入配管１９からなる循環流路に接続され、貯湯タンク１０内の湯を浴槽９内に注湯する注湯流路である。
【００３３】
貯湯タンク１０は、給湯用の湯を蓄える容器であり、耐食性に優れた金属製、例えば、ステンレス製からなり、その外周部に図示しない断熱材が設けられ、高温の給湯用の湯を長時間に渡って保温することができる。貯湯タンク１０は縦長形状であり、その底面に導入口１０ａが設けられ、この導入口１０ａには貯湯タンク１０内に水道水を供給する給水用流路である給水配管１１が接続されている。この給水配管１１には温度検出手段である給水サーミスタ５１が設けられ、給水配管１１内の温度情報はＥＣＵ４０に出力される。
【００３４】
給水配管１１には、導入される水道水の水圧が所定圧となるように調節するとともに、断水などにおける湯の逆流を防止する減圧弁１が設けられている。さらに、給水配管１１は、後述する給湯用混合弁１５および湯張り用混合弁１５ａに繋げられている。
【００３５】
他方、貯湯タンク１０の最上部には導出口１０ｂが設けられ、導出口１０ｂには貯湯タンク１０内に蓄えられた給湯用の湯のうち、高温の湯を導出するための給湯用流路である高温取り出し管１２が接続されている。なお、この高温取り出し管１２の経路途中には、図示しない逃がし弁が配設された排出配管が接続され、貯湯タンク１０内の圧力が所定圧以上に上昇した場合には、貯湯タンク１０内の湯を外部に排出して、貯湯タンク１０等に損害を与えないように構成されている。
【００３６】
貯湯タンク１０の中間部には、導出口１０ｃが設けられ、導出口１０ｃには貯湯タンク１０内に蓄えられた給湯用の湯のうち、中温の湯を導出するための給湯用流路である中温取り出し管１３が接続されている。
【００３７】
高温取り出し管１２と中温取り出し管１３との下流である合流部位には、高中温混合弁１４が設けられている。高中温混合弁１４は、給湯用混合弁１５および湯張り用混合弁１５ａに流通させる給湯用水の湯温を調節する温度調節弁であり、それぞれの開口面積比を調節することで、高温取り出し管１２から取り出した高温の蓄熱用流体と中温取り出し管１３から取り出した中温の蓄熱用流体との混合比を調節することができる。
【００３８】
高中温混合弁１４は、ＥＣＵ４０に電気的に接続されており、７個の貯湯サーミスタ５５ａ、５５ｂ、５５ｃ、５５ｄ、５５ｅ、５５ｆ、５５ｇからなる貯湯サーミスタ５５、および湯温サーミスタ５２より検出される温度情報に基づいて制御される。ここでは、湯温サーミスタ５２で検出された温度情報が、浴槽設定温度、または設定温度に＋２℃程度となるように、中温取り出し管１３から取り出した中温の湯を積極的に混合させるようにして当該所定温度に温度調節している。
【００３９】
なお、湯温サーミスタ５２は、高中温混合弁１４の下流側に設けられ、高中温混合弁１４で混合された給湯用水の湯温を検出している。高中温混合弁１４の下流側は、給湯用流路である給湯用配管１７とその給湯用配管１７から分岐した給湯用配管１７ａとが接続されている。
【００４０】
給湯用配管１７は、下流端に接続された給湯水栓、シャワー水栓等へ設定温度に温度調節された給湯用水を導く配管であり、その流路の中途に温度調節手段である給湯用混合弁１５、温度検出手段である給湯サーミスタ５３、および給湯検出手段である流量カウンタ５４が設けられている。
【００４１】
給湯用配管１７ａは、その下流端が浴槽流出配管１８と浴槽流入配管１９からなる循環回路に繋がれ、浴槽内に湯張り、差し湯、たし湯などを行うときに、所定温度に温度調節された給湯用水を導く配管である。給湯用配管１７ａの流路の中途には、温度調節手段である湯張り用混合弁１５ａ、温度検出手段である湯張り用給湯サーミスタ５３ａ、湯張り用開閉弁２、給湯検出手段である湯張り用流量カウンタ３、および逆止弁４が設けられている。
【００４２】
給湯用混合弁１５および湯張り用混合弁１５ａは、それぞれ給湯用配管１７、給湯用配管１７ａの末端で出湯する給湯用水の湯温を調節する温度調節弁である。これらは、それぞれの開口面積比、つまり、高中温混合弁１４で温度調節された給湯用水側の開度と給水配管１１に連通する水側の開度の比率を調節することによって、出湯する湯温を設定温度に調節する。
【００４３】
給湯用混合弁１５、湯張り用混合弁１５ａは、ＥＣＵ４０に電気的に接続されており、給水サーミスタ５１、湯温サーミスタ５２、給湯サーミスタ５３、湯張り用給湯サーミスタ５３ａより検出される温度情報に基づいて制御される。
【００４４】
給湯サーミスタ５３は給湯用配管１７内の温度情報を、流量カウンタ５４は給湯用配管１７内の温度情報を、湯張り用給湯サーミスタ５３ａは給湯用配管１７ａ内の温度情報を、湯張り用流量カウンタ５４ａは給湯用配管１７ａ内の流量情報を、それぞれＥＣＵ４０に出力する。
【００４５】
なお、高中温混合弁１４、給湯用混合弁１５、および湯張り用混合弁１５ａは、それぞれの出口側に設けられた湯温サーミスタ５２、給湯サーミスタ５３、もしくは湯張り用給湯サーミスタ５３ａで検出される給湯用水の湯温に基づいてフィードバック制御が行われている。
【００４６】
また、流量カウンタ５４、湯張り用流量カウンタ３がそれぞれの給湯用配管１７、給湯用配管１７ａ内の水の流れを検出したときは、それぞれの給湯用配管１７、給湯用配管１７ａの末端にある給湯水栓、シャワー水栓、もしくは湯張り用開閉弁２が開弁されて給湯用水を出湯している状態となる。
【００４７】
湯張り用開閉弁２は、給湯用配管１７ａの流路を開閉する電磁弁であり、浴槽９内に浴水を湯張り、差し湯、たし湯などを行うときにＥＣＵ４０によって制御される。逆止弁４は、循環回路内の浴水が給湯用配管１７ａ内に流通させないための弁である。
【００４８】
貯湯タンク１０の下部には、貯湯タンク１０内の最下部の水を吸入するための吸入口１０ｄが設けられている。貯湯タンク１０の上方には、貯湯タンク１０内の最上部に湯を吐出する吐出口１０ｅが設けられている。吸入口１０ｄと吐出口１０ｅは、流体加熱用流路２１によって連通しており、流体加熱用流路２１の一部はヒートポンプユニット２０内に配置されている。
【００４９】
ヒートポンプユニット２０は、冷媒として臨界温度の低い二酸化炭素を使用するヒートポンプサイクルと、貯湯タンク１０の下部から水を取り出し、ヒートポンプサイクルによって加熱後に貯湯タンク１０の上部に戻す流体加熱用流路２１と、この流体加熱用流路２１中に設置された図示しない給水ポンプとから少なくとも構成され、ＥＣＵ４０によって制御されている。ヒートポンプサイクルを超臨界ヒートポンプで構成した場合、一般的なヒートポンプサイクルよりも高温、例えば、８５℃〜９０℃程度の湯を貯湯タンク１０内に蓄えることができる。ヒートポンプサイクルは、主に、料金設定の安価な深夜時間帯の深夜電力を利用して貯湯タンク１０内の湯を沸き上げる沸き上げ運転を行う。
【００５０】
流体加熱用流路２１には、ヒートポンプユニット２０内の水−冷媒熱交換器に供給される水の温度を検出する入水温度サーミスタ２２が設けられ、さらに水−冷媒熱交換器出口での沸き上げ温度を検出する沸き上げ温度サーミスタ２３が設けられている。そして、いずれのサーミスタも温度情報をＥＣＵ４０に出力する。
【００５１】
貯湯タンク１０の外壁面には、貯湯量および貯湯温度を検出するための貯湯温度検出手段である複数の貯湯サーミスタ５５が貯湯タンク１０の高さ方向に配置され、貯湯タンク１０内に満たされた湯もしくは水の各水位レベルでの温度情報をＥＣＵ４０に出力している。したがって、ＥＣＵ４０は、貯湯サーミスタ５５からの温度情報に基づいて、貯湯タンク１０内上方の沸き上げられた湯と貯湯タンク１０内下方の沸き上げられる前の水との境界位置を検出できるとともに、これにより貯湯量が検出できるようになっている。
【００５２】
なお、これらのうち、貯湯サーミスタ５５ａは、貯湯タンク１０の最上部外壁面に設けられており、高温取り出し管１２に吸入される高温の湯の温度である貯湯タンク１０内最上部の湯温を検出する出湯サーミスタの機能も有している。また、貯湯サーミスタ５５ｄ、５５ｅは中温取り出し管１３とほぼ同一の高さに配置されている。これにより、中温取り出し管１３から導出される湯温を検出する出湯サーミスタの機能も有している。貯湯サーミスタ５５ａ、５５ｂ、５５ｃ、５５ｄ、５５ｅ、５５ｆ、５５ｇは、例えば、タンク最上部からの湯量としてそれぞれ、２０Ｌ、５０Ｌ、１００Ｌ、１５０Ｌ、２００Ｌ、２５０Ｌ、３３０Ｌを検知する位置に設けてもよい。
【００５３】
浴槽流入配管１９とともに循環回路を構成する浴槽流出配管１８には、上流側、つまり浴槽９に近い側から順に、水圧センサ２８、循環開閉弁２７、および循環温度サーミスタ２６が設けられている。浴槽流出配管１８と浴槽流入配管１９との連結部は、給湯用配管１７との連結部でもあり、この地点を合流部５とする。また、浴槽流入配管１９は、合流部５から下流に向かって順に、流水スイッチ６、循環ポンプ７、および追い焚き温度サーミスタ８を備え、浴槽９の内部を介して浴槽流出配管１８と連通している。
【００５４】
水圧センサ２８は、浴槽内に湯張りされた浴水の湯量、言い換えれば浴槽内の水位レベルを求めるための水圧を検出するセンサである。循環開閉弁２７は循環回路を開閉する電磁弁である。循環温度サーミスタ２６は、浴槽流出配管１８を流通する浴水の湯温を検出する水温センサである。
【００５５】
流水スイッチ６は、循環ポンプ７が駆動することにより循環回路内を循環する浴水を検知する流水センサであり、ＥＣＵ４０がスイッチのＯＮ時間によって浴槽９内の浴水の有無を判断するために用いられる。循環ポンプ７は浴槽内の浴水を循環回路内で強制的に循環させる電動ポンプである。
【００５６】
追い焚き温度サーミスタ８は、浴槽流入配管１９を流通する浴水の湯温を検出する水温センサであり、浴槽内に戻される浴水の温度を検出する。なお、水圧センサ２８、流水スイッチ６、循環温度サーミスタ２６、および追い焚き温度サーミスタ８は、それぞれの容積情報、流水情報および温度情報をＥＣＵ４０に出力し、循環開閉弁２７、および循環ポンプ７はＥＣＵ４０によって制御される。
【００５７】
湯張り後に浴槽９内の浴水の温度を検出するときは、湯張り用開閉弁２を閉じるとともに、循環ポンプ６７を作動させる。そして、浴槽９内の浴水は浴槽流出配管１８、浴槽流入配管１９、浴槽９内の順に循環されながら循環温度サーミスタ２６によって浴水の湯温が検出されることになる。
【００５８】
追い焚きを行うときは、ＥＣＵ４０は、湯張り用開閉弁２を開き、湯張り用混合弁１５ａによって所定温度に調節された貯湯タンク１０内の湯を合流部５から浴槽流入配管１９に流入させ、浴槽９内に取り込む。あるいは、ＥＣＵ４０は、循環ポンプ７を作動し循環回路内で浴水を循環させながら、湯張り用開閉弁２を開き、当該温調された貯湯タンク１０内の湯を合流部５から浴槽流入配管１９に取り込み浴水と混合させて浴槽９内に取り込む。そして、いずれの場合も、循環温度サーミスタ２６により検出された浴水の温度が所定温度になるまで追い焚きを実行する。
【００５９】
次に、ＥＣＵ４０は、マイクロコンピュータを主体として構成され、記憶手段として内蔵するＲＯＭまたはＲＡＭには、あらかじめ設定された制御プログラムや更新可能な制御プログラムが備えられている。ＥＣＵ４０は、各サーミスタ２２、２３、５１〜５３、５３ａ、５５ａ〜５５ｇ、２６、８からの温度情報、各流量カウンタ５４、３からの流量情報、および台所リモコン２４や風呂リモコン２５の操作スイッチからの操作信号等に基づいて、ヒートポンプユニット２０、各混合弁１４、１５、１５ａ、各開閉弁２、２７、および循環ポンプ７などのアクチュエータ類を制御する。
【００６０】
なお、台所リモコン２４や風呂リモコン２５には、電源操作部、給湯設定温度操作部、湯張り操作部、湯張り設定温度操作部、追い焚き操作部、追い焚き設定温度操作部などが設けられている。
【００６１】
次に、上記構成におけるヒートポンプ式給湯装置の作動を説明する。このヒートポンプ式給湯装置の作動は主にＥＣＵ４０によって実施される。まず、貯湯タンク１０内に蓄えられた給湯用の湯を熱源として、台所、洗面所、浴室などへの給湯するときは、給湯水栓、シャワー水栓などを開弁することにより設定温度に応じた給湯用水が給湯用配管１７から出湯する。
【００６２】
つまり、高中温混合弁１４、給湯用混合弁１５の制御によって、貯湯タンク１０内の高温の湯、および中温の湯と給水配管１１からの水が混合された混合湯が給湯用配管１７を介して給湯水栓から出湯する。これにより、貯湯タンク１０では、上部から高温の給湯水が導出され、給水配管１１より水が貯湯タンク１０の下方に導入される。
【００６３】
したがって、温度境界位置が貯湯タンク１０内上方に移動することになる。つまり、給湯の用途に供するときには、順次温度境界位置が上方に変動するとともに、貯湯タンク１０内の貯湯量が低下していく。そして、浴槽９内に湯張りすることにより、貯湯タンク１０内の貯湯量が低下していくことになる。また、ユーザーが追い焚き操作部を操作しておくと、ＥＣＵ４０は、所定時間毎に浴水温度を検出してその浴水温度が追い焚き設定温度に未達であれば、貯湯タンク１０側から供給する高温水の湯量を増加させるように制御する。
【００６４】
次に、本実施形態のヒートポンプ式給湯装置にける追い焚き時の運転を図３の制御フローを用いて説明する。まず、ユーザーの操作により、台所リモコン２４や風呂リモコン２５から追い焚き運転モードによる命令が送信されると、図３に示す制御フローがスタートする。追い焚き運転モードの選択は、ユーザーが台所リモコン２４や風呂リモコン２５に設けられたスイッチの一つである追い焚き操作部、追い焚き設定温度操作部を操作することにより行われる。
【００６５】
ＥＣＵ４０は、この追い焚き運転モードが設定されたことを認識すると、まず循環手段を構成する循環ポンプ７を作動する（ステップＳ１００）。この循環ポンプ７の作動によって浴槽９の浴水が循環回路内を循環し、浴槽９内に残湯があるか否かを判断する（ステップＳ１０５）。この判断は、流水スイッチ６によって検出された信号に基づいて判断され。例えば、流水スイッチ６が所定時間以上ＯＮ状態であった場合には浴槽９内に残湯があると判断する。
【００６６】
ＥＣＵ４０は残湯なしと判断した場合には、循環ポンプ７を停止し（ステップＳ１０６）、浴槽９の栓が抜けている可能性があるので、ユーザーにその旨を報知した後（ステップＳ１０７）、追い焚き運転モードを終了する。報知はアラーム音や表示部の点滅などにより行う。
【００６７】
ＥＣＵ４０は、残湯ありと判断した場合には、追い焚き設定温度操作部の操作による追い焚き設定温度、浴槽９内の浴水温度などに基づいて追い焚き目標温度を設定する（ステップＳ１１０）。ＥＣＵ４０は、この追い焚き目標温度を、浴水温度が低いときは追い焚き設定温度に設定し、浴水温度が追い焚き設定温度に近いときには現在の温度に対して２℃程度高い温度に設定する。
【００６８】
そして、ＥＣＵ４０は、ステップＳ１１５で電磁弁である湯張り用開閉弁２を開弁し、さらに、湯張り用混合弁１５ａの開度を制御し、給水配管１１を流れてくる水と貯湯タンク１０内から流れてくる高温の湯とを適量の混合比で混合させる（ステップＳ１２０）。このように混合された湯は、給湯用配管１７ａ内を流れ、循環回路と合流する合流部５で循環する浴水と混合された後、浴槽流入配管１９を介して浴槽９内に注湯される。この適量の混合比で混合された湯は、前述の追い焚き目標温度よりも高温に温調されるものとし、例えば、約８０℃の高温に温調してもよい。
【００６９】
このとき、高温に温調された湯は循環ポンプ７によって浴槽９内から流出した浴水と混合されてから浴槽９内に注湯されるため、浴槽９内のユーザーに対して熱すぎるなどの悪いフィーリングを与えないように配慮している。例えば、浴槽９内の浴水温度が４０℃である場合は、注湯される湯温が８０℃でも循環する浴水と混合することで６０℃程度になった状態で浴槽９内に注湯されることになり、ユーザーのフィーリングを損なわない。
【００７０】
ＥＣＵ４０は、このように注湯を行いながら循環する浴水温度が追い焚き目標温度以上になったかどうかを判断し（ステップＳ１２５）、追い焚き目標温度以上になったと判断したときは、湯張り用開閉弁２を閉じるとともに（ステップＳ１３５）、湯張り用混合弁１５ａを制御して湯水混合制御および注湯を停止し（ステップＳ１４０）、さらに循環ポンプ７の作動を停止して（ステップＳ１４５）追い焚き運転を終了する。
【００７１】
一方、ＥＣＵ４０は、ステップＳ１２５で、循環する浴水温度が追い焚き目標温度よりも低温であると判断したときは、追い焚き運転開始時からの累積注湯量が所定量以上になったかどうかを判断する（ステップＳ１３０）。ＥＣＵ４０は、累積注湯量が所定量以上でないと判断した場合にはステップＳ１２０に飛んで引き続き湯水混合制御を実行し、累積注湯量が所定量以上になったと判断した場合にはステップＳ１３５を実行して、湯水混合制御を終了する処理を進行していく。
【００７２】
なお、ＥＣＵ４０は、追い焚き運転時、累積注湯量が所定量以上になったときに注湯を終了するとともに、さらに、取得した浴槽９内の湯量情報に基づいて当該所定量を可変させるように制御することが好ましい。この制御により、浴槽９内の浴水があふれないように注湯することができるとともに、追い焚き時間も短縮することができる。
【００７３】
また、ＥＣＵ４０は、浴水がその循環回路を循環するときに浴槽９内を流出してから合流部５に至るまでの間における浴水の各種情報を取得し、この各種情報に基づいて循環させる浴水と合流する湯との混合量を制御することが好ましい。この制御により、追い焚き時間を適正に制御したり、短時間にしたりすることができる。また、浴槽９内のユーザーに対してマイルドな加熱感覚を与え、快適なフィーリングを与えることができる。
【００７４】
このように本実施形態のヒートポンプ式給湯装置は、追い焚き運転時、ＥＣＵ４０が、循環ポンプ７、湯張り用開閉弁２、および湯張り用混合弁１５ａを作動し、浴水を循環回路で循環させながら貯湯タンク１０内の高温の湯を浴水と混合させて浴槽９内に注湯する制御を実行している。この制御によれば、追い焚き時間の短い追い焚き性能を発揮でき、従来の追い焚き用熱交換器を備えるヒートポンプ式給湯装置よりもエネルギー効率を向上することができる。また、従来の追い焚き用熱交換器を含めたその他の配管経路を不要にした優れた効率のシステムを提供できる。
【００７５】
さらに、合流部５の下流に位置する浴槽流入配管１９に循環ポンプ７を設けることが好ましい。この構成を採用した場合は、上流側の合流部を加圧する流れを形成することがないので、湯の混合量が減少してしまうことがなく浴水と湯を適正な混合比に調整したり、安定した混合比を維持したりすることができる。さらに、逆止弁４が故障した場合でも上流側の合流部５を加圧しないため、浴水が貯湯タンク１０側に逆流することを防止できる。
【００７６】
さらに、合流部５と浴槽９をつなぐ浴槽流出配管１８に循環温度サーミスタ２６を設けることが好ましい。この構成を採用した場合には、循環する浴水に合流する湯の温度の影響を受けることなく、循環浴水温度を検出することができる。
【００７７】
（第２実施形態）
本実施形態は、第１実施形態のヒートポンプ式給湯装置に対して追い焚き運転時のＥＣＵ４０による処理手順のみが異なる実施形態であり、この追い焚き時の運転を図４の制御フローを用いて説明する。なお、本実施形態は、追い焚き運転時のＥＣＵ４０による処理手順を除く他の構成については、第１実施形態と同様であり、同様の作用効果を有する。
【００７８】
まず、ユーザーの操作により、台所リモコン２４や風呂リモコン２５から追い焚き運転モードによる命令が送信されると、図４に示す制御フローがスタートする。ＥＣＵ４０は、追い焚き運転モードが設定されたことを認識すると、まず循環ポンプ７を作動する（ステップＳ２００）。この循環ポンプ７の作動によって浴槽９の浴水が循環回路内を循環し、流水スイッチ６の動作によって浴槽９内に残湯があるか否かを判断する（ステップＳ２０５）。ＥＣＵ４０は残湯なしと判断した場合には、循環ポンプ７を停止し（ステップＳ２０６）、浴槽９の栓が抜けている可能性があるため、ユーザーにその旨を報知した後（ステップＳ２０７）、追い焚き運転モードを終了する。
【００７９】
ＥＣＵ４０は、残湯ありと判断した場合には、追い焚き設定温度、浴槽９内の浴水温度などに基づいて追い焚き目標温度を設定する（ステップＳ２１０）。この追い焚き目標温度は、浴水温度が低いときは追い焚き設定温度に設定され、浴水温度が追い焚き設定温度に近いときには現在の温度に対して２℃程度高い温度に設定される。
【００８０】
次に、ＥＣＵ４０は、ステップＳ２１５で一旦、循環ポンプ７の作動を停止して、循環回路内における浴水の循環を停止する。そして、ＥＣＵ４０は、ステップＳ２２０で湯張り用開閉弁２を開弁し、さらに、湯張り用混合弁１５ａの開度を制御し、給水配管１１を流れてくる水と貯湯タンク１０内から流れてくる高温の湯とを適量の混合比で混合させる（ステップＳ２２５）。このように混合された湯は、給湯用配管１７ａ内を流れ、浴槽流入配管１９を介して浴槽９内に注湯されることになる。
【００８１】
ＥＣＵ４０は、浴槽９内への注湯を一定量分実行し（ステップＳ２３０）、一定量分の注湯が完了すると、湯張り用開閉弁２を閉じるとともに（ステップＳ２３５）、湯張り用混合弁１５ａを制御して湯水混合制御および注湯を停止する（ステップＳ２４０）。
【００８２】
なお、この一定量の注湯は、あらかじめＥＣＵ４０に記憶させた値とした場合には、例えば、１０Ｌ、２０Ｌ、３０Ｌなどのような５Ｌ〜３０Ｌの範囲の値とする。また、一定量は追い焚き運転中に検出した各種情報から変動させるように構成してもよく、例えば、一連の制御フローの中で再設定しなおして後の処理に反映させるように構成してもよい。具体的には、図４に示す制御フローにおいて、ＥＣＵ４０は一定量の注湯を行った後、浴水温度情報が決定した追い焚き目標温度に達していないと判断したときは、追い焚き目標温度と浴水温度情報との差に基づいて一定量を決定し直す処理を実行する。
【００８３】
ＥＣＵ４０は、浴槽９内への一定量の注湯が終了すると、循環ポンプ７の作動を開始し（ステップＳ２４５）、注湯後の浴水を循環回路内で循環させる。そして、ＥＣＵ４０は、循環する浴水温度が追い焚き目標温度以上になったかどうかを判断する（ステップＳ２５０）。浴水温度が追い焚き目標温度以上になったと判断したときは、循環ポンプ７の作動を停止して（ステップＳ２５５）追い焚き運転を終了する。
【００８４】
一方、ＥＣＵ４０は、ステップＳ２５０で、浴水温度が追い焚き目標温度よりも低温であると判断したときは、追い焚き運転開始時からの累積注湯量が所定量以上になったかどうかを判断する（ステップＳ２５１）。ＥＣＵ４０は、累積注湯量が所定量以上でないと判断した場合にはステップＳ２１５に飛んで引き続き湯水混合制御を実行して一定量の注湯を実行する。累積注湯量が所定量以上になったと判断した場合には循環ポンプ７の作動を停止して（ステップＳ２５５）追い焚き運転を終了する。
【００８５】
なお、ＥＣＵ４０は、第１実施形態と同様に、追い焚き運転時、累積注湯量が所定量以上になったときに注湯を終了するとともに、さらに、取得した浴槽９内の湯量情報に基づいて当該所定量を可変させるように制御することが好ましい。
【００８６】
また、ＥＣＵ４０は、第１実施形態と同様に、浴水がその循環回路を循環するときに浴槽９内を流出してから合流部５に至るまでの間における浴水の各種情報を取得し、この各種情報に基づいて循環させる浴水と合流する湯との混合量を制御することが好ましい。
【００８７】
また、ＥＣＵ４０が浴水温度を検出する場合には、浴水を循環回路内で循環させながら温度を検出する他に、浴水を循環させないで直接浴槽９内における温度を検出するように構成してもよい。
【００８８】
このように本実施形態のヒートポンプ式給湯装置は、追い焚き運転時、ＥＣＵ４０が、設定温度に基づいて追い焚き目標温度を決定し、浴槽９内の浴水温度の情報を取得し、循環ポンプ７、湯張り用開閉弁２、および湯張り用混合弁１５ａを作動して貯湯タンク１０内の一定量の湯を浴槽９内に注湯した後、浴水温度が追い焚き目標温度に達していないと判断したときは、浴水を循環させながら貯湯タンク１０内の湯を浴水と混合させて浴槽９内に注湯する制御を実行する。
【００８９】
この制御によれば、追い焚き時間を短縮することができるとともに、追い焚き時における浴槽９内の浴水温度上昇が滑らかになり、浴槽９内のユーザーにマイルドな加熱感覚を与えることができる。また、従来の追い焚き用熱交換器を含めたその他の配管経路を不要にした優れた効率のシステムを提供できる。
【００９０】
また、ＥＣＵ４０は、追い焚き運転開始時に、決定した追い焚き目標温度と取得した浴水温度情報との差に基づいて浴槽９内に注湯する一定量を決定することが好ましい。この制御を採用した場合には、追い焚き時間をさらに短縮し、運転効率を高めることができる。
【００９１】
また、ＥＣＵ４０は、一定量の注湯を行った後、浴水温度情報が決定した追い焚き目標温度に達していないと判断したときは、追い焚き目標温度と浴水温度情報との差に基づいて一定量を決定し直すことが好ましい。この制御を採用した場合においても、追い焚き時間をさらに短縮し、運転効率を高めることができる。
【００９２】
（第３実施形態）
本実施形態のヒートポンプ式給湯装置は、第１実施形態のヒートポンプ式給湯装置に対して、図１の合流部５に三方弁３０を設けるとともに、循環開閉弁２７を削除した構成である。なお、本実施形態のヒートポンプ式給湯装置における三方弁３０および循環開閉弁２７にかかる構成を除く他の構成については、第１実施形態と同様であり、同様の作用効果を有する。図５は、本実施形態のヒートポンプ式給湯装置の概略構成を示した模式図である。
【００９３】
図５に示すように、三方弁３０は、循環回路を循環する浴水と温調された貯湯タンク１０内の湯とが混合する合流部に設けられており、浴槽流出配管１８から浴槽流入配管１９に通じる管路、および給湯用配管１７ａから浴槽流入配管１９に通じる管路の開閉や開口面積の調整を行うように構成されている。また、三方弁３０は、ＥＣＵ４０により、各サーミスタからの温度情報、各流量カウンタ５４、３からの流量情報、および台所リモコン２４や風呂リモコン２５の操作スイッチからの操作信号等に基づいてその開度が制御されて浴水と湯の混合比を調節するように構成されている。
【００９４】
上記構成において、追い焚き運転時に、三方弁３０は、第１実施形態の制御フロー（図３参照）におけるステップＳ１００からＳ１１０までの処理や、第２実施形態の制御フロー（図４参照）におけるステップＳ２００からＳ２１０までおよびステップＳ２４５からステップＳ５５の処理などの循環回路に浴水を循環させる場合には、循環ポンプ７の作動とともに浴槽流出配管１８から浴槽流入配管１９に通じる管路のみを開放する。
【００９５】
また、三方弁３０は、第２実施形態の制御フロー（図４参照）におけるステップＳ２１５からＳ２４０までの処理のように循環ポンプ７を作動しない場合には、給湯用配管１７ａから浴槽流入配管１９に通じる管路のみを開放し、その開口面積を調整して浴槽９内に供給する高温湯の量を適量に制御する。
【００９６】
また、三方弁３０は、第１実施形態の制御フロー（図３参照）におけるステップＳ１１５からＳ１４５までの処理のように循環する浴水と高温の湯を混合させる場合には、給湯用配管１７ａから浴槽流入配管１９に通じる管路の開口面積を調整するとともに、浴槽流出配管１８から浴槽流入配管１９に通じる管路を開放して、循環浴水と混合させる高温湯の量を適量に制御する。
【００９７】
このように本実施形態のヒートポンプ式給湯装置によれば、循環浴水と混合させる高温湯の量を浴槽９内の浴水の状況に応じて適量に制御することが可能となる。また、さらに三方弁３０の開度を制御することにより、浴槽９につかっているユーザーのフィーリングに対して細やかな制御が可能となる。また、三方弁３０は、浴水循環を制御するための開閉弁等を代用することができる。
【００９８】
（第４実施形態）
本実施形態のヒートポンプ式給湯装置は、第１実施形態のヒートポンプ式給湯装置に対して、図１の給湯用配管１７ａ上で合流部５よりも上流に流量調整弁３１を設ける構成である。なお、本実施形態のヒートポンプ式給湯装置における流量調整弁３１にかかる構成を除く他の構成については、第１実施形態と同様であり、同様の作用効果を有する。図６は、本実施形態のヒートポンプ式給湯装置の概略構成を示した模式図である。
【００９９】
図６に示すように、流量調整弁３１は、貯湯タンク１０内の湯が流出して湯張り用混合弁１５ａによって温度調節された後、循環する浴水と混合する合流部５に至るまでの給湯用配管１７ａ上に設けられている。流量調整弁３１は、給湯用配管１７ａの開閉や開口面積の調整を行うように構成されている。また、流量調整弁３１は、ＥＣＵ４０により、各サーミスタからの温度情報、各流量カウンタ５４、３からの流量情報、および台所リモコン２４や風呂リモコン２５の操作スイッチからの操作信号等に基づいてその開度が制御されて浴水と混合する湯の量を調節するように構成されている。
【０１００】
このように本実施形態のヒートポンプ式給湯装置によれば、浴水に混合させる湯量を浴槽内の浴水の状況に応じて適量に制御することが可能となる。例えば、浴槽９内の浴水の温度が上昇するにつれて浴水と混合させる湯の量を減少するように流量調整弁３１の開度を絞っていくことで、浴槽内のユーザーのフィーリングに対して細やかな制御を実行できる。
【図面の簡単な説明】
【０１０１】
【図１】第１および第２実施形態のヒートポンプ式給湯装置の概略構成を示した模式図である。
【図２】第１および第２実施形態のヒートポンプ式給湯装置の構成部品とＥＣＵとの関係を示した構成図である。
【図３】第１実施形態のヒートポンプ式給湯装置において追い焚き時の制御を示すフロー図である。
【図４】第２実施形態のヒートポンプ式給湯装置において追い焚き時の制御を示すフロー図である。
【図５】第３実施形態のヒートポンプ式給湯装置の概略構成を示した模式図である。
【図６】第４実施形態のヒートポンプ式給湯装置の概略構成を示した模式図である。
【符号の説明】
【０１０２】
２        湯張り用開閉弁（注湯手段）
５        合流部
７        循環ポンプ（循環手段）
９        浴槽
１０      貯湯タンク
１５ａ    湯張り用混合弁（注湯手段）
１７ａ    給湯用配管（注湯手段、経路）
１８      浴槽流出配管（配管、循環回路）
１９      浴槽流入配管（配管、循環回路）
２０      ヒートポンプユニット
２６      循環温度サーミスタ
３０      三方弁
３１      流量調整弁
４０      ＥＣＵ（制御手段）
【図１】
2007218538.tif 000003
【図２】
2007218538.tif 000004
【図３】
2007218538.tif 000005
【図４】
2007218538.tif 000006
【図５】
2007218538.tif 000007
【図６】
2007218538.tif 000008